(57)【要約】【課題】インクジェットプリンタに印刷させる画像データに対するジャギー補正について柔軟性を向上させることのできる画像処理装置、画像処理方法及びプログラムの提供を目的とする。【解決手段】インクジェットプリンタに印刷させる画像データに関する画像処理を実行する画像処理装置であって、前記画像データについてジャギー補正の種類の指定を受け付ける補正種類入力手段と、前記ジャギー補正の種類に基づいてパターンマッチングに用いる参照パターンを決定する参照パターン決定手段と、前記参照パターンを用いて前記画像データに対してパターンマッチングを行い、マッチした範囲における所定の画素について前記補正の種類に応じた処理を実行する補正手段とを有することにより上記課題を解決する。【選択図】図２
2009141529.tif 000002
【特許請求の範囲】
【請求項１】
インクジェットプリンタに印刷させる画像データに関する画像処理を実行する画像処理装置であって、
前記画像データについてジャギー補正の種類の指定を受け付ける補正種類入力手段と、
前記ジャギー補正の種類に基づいてパターンマッチングに用いる参照パターンを決定する参照パターン決定手段と、
前記参照パターンを用いて前記画像データに対してパターンマッチングを行い、マッチした範囲における所定の画素について前記補正の種類に応じた処理を実行する補正手段とを有することを特徴とする画像処理装置。
【請求項２】
前記ジャギー補正の種類に応じた前記参照パターンを識別するための情報を含む定義ファイルが記録された記憶手段を有し、
前記参照パターン決定手段は、前記定義ファイルを用いてパターンマッチングに用いる参照パターンを決定することを特徴とする請求項１記載の画像処理装置。
【請求項３】
前記補正の種類は、前記所定の画素に適用されるインク滴のサイズに応じて異なることを特徴とする請求項１又は２記載の画像処理装置。
【請求項４】
前記補正の種類は、前記所定の画素について適用対象とされるインク滴のサイズの組み合わせに応じて異なることを特徴とする請求項１乃至３いずれか一項記載の画像処理装置。
【請求項５】
前記参照パターン決定手段は、前記画像データを印刷させる解像度に応じて前記参照パターンのサイズを決定し、前記参照パターンのサイズと前記ジャギー補正の種類とに基づいてパターンマッチングに用いる参照パターンを決定することを特徴とする請求項１乃至４いずれか一項記載の画像処理装置。
【請求項６】
インクジェットプリンタに印刷させる画像データに関して画像処理装置が実行する画像処理方法であって、
前記画像データについてジャギー補正の種類の指定を受け付ける補正種類入力手順と、
前記ジャギー補正の種類に基づいてパターンマッチングに用いる参照パターンを決定する参照パターン決定手順と、
前記参照パターンを用いて前記画像データに対してパターンマッチングを行い、マッチした範囲における所定の画素について前記補正の種類に応じた処理を実行する補正手順とを有することを特徴とする画像処理方法。
【請求項７】
前記画像処理装置は、前記ジャギー補正の種類に応じた前記参照パターンを識別するための情報を含む定義ファイルが記録された記憶手段を有し、
前記参照パターン決定手順は、前記定義ファイルを用いてパターンマッチングに用いる参照パターンを決定することを特徴とする請求項６記載の画像処理方法。
【請求項８】
前記補正の種類は、前記所定の画素に適用されるインク滴のサイズに応じて異なることを特徴とする請求項６又は７記載の画像処理方法。
【請求項９】
前記補正の種類は、前記所定の画素について適用対象とされるインク滴のサイズの組み合わせに応じて異なることを特徴とする請求項６乃至８いずれか一項記載の画像処理方法。
【請求項１０】
前記参照パターン決定手順は、前記画像データを印刷させる解像度に応じて前記参照パターンのサイズを決定し、前記参照パターンのサイズと前記ジャギー補正の種類とに基づいてパターンマッチングに用いる参照パターンを決定することを特徴とする請求項６乃至９いずれか一項記載の画像処理方法。
【請求項１１】
請求項６乃至１０いずれか一項記載の画像処理方法を画像処理装置に実行させるためのプログラム。
【発明の詳細な説明】
【技術分野】
【０００１】
本発明は、画像処理装置、画像処理方法及びプログラムに関し、特にインクジェットプリンタに印刷させる画像データに関する画像処理を実行する画像処理装置、画像処理方法及びプログラムに関する。
【背景技術】
【０００２】
インクジェットプリンタの記録画像は、ヘッドの走査方向、及びそれと直交する方向である記録紙の搬送方向にマトリクス状に形成されたドットで表される。ここで、ドット画像として文字を印写したとき、印字する画像の解像度によって、文字の品質は大きく異なる。例えば、同じ大きさの文字を３００ｄｐｉで印写したときと６００ｄｐｉで印写したときとでは、文字を構成するドット数が４倍異なるため、６００ｄｐｉで印写したときの方が細かいところまで表現でき、当然のことながら文字品質は良い。特に、文字の斜線部では、解像度にしたがって、階段状にドットが増えていく（あるいは、減っていく）ので、３００ｄｐｉで印写したときの方が、ギザギザ（ジャギー）として認識され易くなる。
【０００３】
そこで、従来、印刷対象となる画像データを処理する段階においてジャギーを補正するための技術が各種検討されている（例えば、特許文献１）。
【特許文献１】特開２００５−１９３３８４号公報
【発明の開示】
【発明が解決しようとする課題】
【０００４】
しかしながら、ジャギー補正の方法及びその結果は各種存在するところ、従来の技術では、開発者側の観点において望ましいジャギー補正結果が予め選択され、斯かる補正結果が得られるようなジャギー補正処理がプログラムロジックとして組み込まれていた。
【０００５】
したがって、全てのユーザに対して同一のジャギー補正処理が提供されており、ユーザに応じて異なるジャギー補正処理を提供するのが困難であるという問題があった。
【０００６】
本発明は、上記の点に鑑みてなされたものであって、インクジェットプリンタに印刷させる画像データに対するジャギー補正について柔軟性を向上させることのできる画像処理装置、画像処理方法及びプログラムの提供を目的とする。
【課題を解決するための手段】
【０００７】
そこで上記課題を解決するため、本発明は、インクジェットプリンタに印刷させる画像データに関する画像処理を実行する画像処理装置であって、前記画像データについてジャギー補正の種類の指定を受け付ける補正種類入力手段と、前記ジャギー補正の種類に基づいてパターンマッチングに用いる参照パターンを決定する参照パターン決定手段と、前記参照パターンを用いて前記画像データに対してパターンマッチングを行い、マッチした範囲における所定の画素について前記補正の種類に応じた処理を実行する補正手段とを有することを特徴とする。
【０００８】
このような画像処理装置では、インクジェットプリンタに印刷させる画像データに対するジャギー補正について柔軟性を向上させることができる。
【発明の効果】
【０００９】
本発明によれば、インクジェットプリンタに印刷させる画像データに対するジャギー補正について柔軟性を向上させることのできる画像処理装置、画像処理方法及びプログラムを提供することができる。
【発明を実施するための最良の形態】
【００１０】
以下、図面に基づいて本発明の実施の形態を説明する。図１は、本発明の実施の形態におけるシステム構成例を示す図である。同図において、一台以上のホストコンピュータ１０と一台以上のプリンタ２０とは、ＬＡＮ（Local Area Network）等のネットワーク３０（有線又は無線の別は問わない。）を介して接続されている。
【００１１】
ホストコンピュータ１０は、アプリケーションによって生成されたデータについてプリンタ２０が解釈可能な印刷データを生成し、当該印刷データをプリンタ２０に送信するコンピュータである。ホストコンピュータ１０は、印刷データの生成過程において各種の画像処理を実行する。当該画像処理には、ジャギー補正処理も含まれる。すなわち、本実施の形態では、ホストコンピュータ１０が画像処理装置に相当する。
【００１２】
プリンタ２０は、ホストコンピュータ１０より受信される印刷データに基づいて印刷を実行するインクジェットプリンタである。すなわち、プリンタ２０は、ノズルヘッドを備え、ノズルヘッドに設けられたノズルよりインクを吐出することにより記録媒体（印刷用紙）に対して画像を形成する。本実施の形態において、プリンタ２０は、記録媒体における一つのドットについて、滴なし、小滴、中滴、及び大滴の４階調の表現が可能であるとする。但し、本発明の適用範囲が、１ドットあたり４階調の表現が可能なプリンタのみに限定されるわけではない。
【００１３】
図２は、本発明の実施の形態におけるホストコンピュータの機能構成例を示す図である。同図において、ホストコンピュータ１０は、アプリケーション１１、描画データメモリ１２、ラスタライザ１３、ラスタデータメモリ１４、インタフェース部１５、フォント処理部１６、フォントデータメモリ１７、補正定義ファイル１８、及び印刷設定ＵＩ部１９等を有する。
【００１４】
アプリケーション１１から発行される画像や文字のプリント命令（例えば画像の線の位置・太さ・形、文字の書体・大きさ・位置など）は描画データメモリ１２に一旦蓄積される。ラスタライザ１３は、描画データメモリ１２に記憶されたプリント命令を読み込んで解釈し、線の描画命令であれば指定された位置や太さ等に応じた画像データ（例えば、ビットマップ等のドットパターン）に変換し、文字の記録命令であればフォントデータメモリ１７より、対応したフォントデータを取り込み、インクジェットプリンタ２０で記録可能なラスタデータを生成する。このラスタデータはラスタデータメモリ１４に一旦蓄積され、インタフェース部１５を介してインクジェットプリンタ２０に出力される。
【００１５】
文字の画像データへの展開はラスタライザ１３と独立したフォント処理部１６で行われる。ただし、フォント処理部１６とラスタライザ１３とを統合してもよい。また、ラスタライザ１３及びフォント処理部１６は、プリンタドライバなどのソフトウェアとして実現されるのが一般的であろうが、その一方又は両方をハードウェアとして実現してもよい。
【００１６】
フォント処理部１６は、展開部１６１及びジャギー補正部１６２を含む。展開部１６１は、文字を２値の画像データ（フォントデータ）に展開する。ジャギー補正部１６２は、印刷設定ＵＩ部１９が表示させる印刷設定画面における設定内容や補正定義ファイル１８等に基づいて、フォントデータにおける文字輪郭部についてジャギー補正を行う。なお、印刷設定画面は、一般的にプリンタドライバによって表示される、印刷条件等を設定させるための画面である。
【００１７】
本実施の形態では、フォントデータに対してジャギー補正が施される例を説明する。ただし、文字だけでなく他の２値画像、例えばグラフィックス画像の斜線などに対しても同様のジャギー補正を施す態様も本発明に包含される。そのようなジャギー補正は、ラスタライザ１３で実行してもよいし、別に設けたジャギー補正手段において実行してもよい。
【００１８】
図３は、本発明の実施の形態におけるホストコンピュータのハードウェア構成例を示す図である。図３のホストコンピュータ１０は、それぞれバスBで相互に接続されているドライブ装置１００と、補助記憶装置１０２と、メモリ装置１０３と、ＣＰＵ１０４と、インタフェース装置１０５と、表示装置１０６と、入力装置１０７とを有するように構成される。
【００１９】
ホストコンピュータ１０での処理を実現するプログラムは、ＣＤ−ＲＯＭ等の記録媒体１０１によって提供される。プログラムを記録した記録媒体１０１がドライブ装置１００にセットされると、プログラムが記録媒体１０１からドライブ装置１００を介して補助記憶装置１０２にインストールされる。補助記憶装置１０２は、インストールされたプログラムを格納すると共に、必要なファイルやデータ等を格納する。例えば、補正定義ファイル１８やフォントデータ等は、補助記憶装置１０２に記録される
メモリ装置１０３は、プログラムの起動指示があった場合に、補助記憶装置１０２からプログラムを読み出して格納する。メモリ装置１０３は、また、描画データメモリ１２、ラスタデータメモリ１４、及びフォントデータメモリ１７等に対応する記憶領域として用いられる。
【００２０】
ＣＰＵ１０４は、メモリ装置１０３に格納されたプログラムに従ってホストコンピュータ１０に係る機能（例えば、ラスタライザ１３、インタフェース部１５、フォント処理部１６、及び印刷設定ＵＩ部１９等）を実現する。インタフェース装置１０５は、ネットワークに接続するためのインタフェースとして用いられる。表示装置１０６はプログラムによるＧＵＩ（Graphical User Interface）等を表示する。入力装置１０７はキーボード及びマウス等で構成され、様々な操作指示を入力させるために用いられる。
【００２１】
なお、プログラムのインストールは必ずしも記録媒体１０１より行う必要はなく、ネットワークを介して他のコンピュータよりダウンロードするようにしてもよい。
【００２２】
以下、ホストコンピュータ１０による処理手順について説明する。まず、ジャギー補正部１６２によるジャギー補正処理について説明する。本実施の形態におけるジャギー補正部１６２は、フォントデータにおける文字の輪郭の境界に係る画素について、新たに小滴若しくは中滴によって印字する画素を追加したり、又は既に印字対象とされている画素の滴種を変更したりすることにより文字輪郭部のジャギー補正を行う。
【００２３】
図４は、フォントデータの一部の画素の例を概念的に示す図である。同図において、黒丸は当該画素に基づいて印字されるインク滴を示す。すなわち、黒丸が存在する画素は印字対象である。また、黒丸の大きさはインク滴のサイズを示す。したがって、印字する画素の追加とは、同図において黒丸が存在しない画素（以下、「ブランクの画素」という。）に対して小滴又は中滴に対応するサイズの黒丸の追加を意味する。また、滴種の変更とは、黒丸のサイズの変更を意味する。なお、フォントデータの初期状態として、印字対象の画素は大滴とされる。具体的には、１画素が１バイトによって表現され、０が滴なしで２５５が大滴に対応する場合、補正前に印字対象の画素の画素値は２５５とされ、印字対象でない画素値は０に初期化される。
【００２４】
ドットの追加又はドットサイズの変更の対象とされる画素（以下「補正対象の画素」という。）は、パターンマッチングにより判別される。パターンマッチングには仮想的なウィンドウが用いられる。
【００２５】
図５は、パターンマッチングに用いられる仮想的なウィンドウの例を示す図である。同図には、ｍ×ｎ画素のウィンドウが示されている。ここで、注目画素として示されている画素が、パターンマッチングにおいて補正対象とされる画素となる。なお、ｍとｎの値は同じでもよいし、異なっていてもよい。
【００２６】
以上をふまえて、ジャギー補正処理の処理手順についてフローチャートを用いて説明する。図６は、ジャギー補正部によるジャギー補正処理の処理手順を説明するためのフローチャートである。
【００２７】
まず、フォントデータの先頭画素を注目画素とする（Ｓ１０１）。続いて、注目画素を例えば中心としたｍ×ｎのウィンドウに対応した画素によって構成されるビットマップデータをフォントデータより抽出し（Ｓ１０２）、予め用意されたｍ×ｎのサイズの参照パターンとのパターンマッチングを行う（Ｓ１０３）。参照パターンとは、注目画素が補正対象となる場合のドット配置を表すものである。
【００２８】
図７は、参照パターンの例を示す図である。同図では、ウィンドウサイズが３×３に対応した参照パターンの例が示されている。なお、参照パターンは、複数存在しうる。
【００２９】
パターンマッチングにおいて、抽出されたビットマップデータが参照パターンにマッチした場合には（Ｓ１０４でＹｅｓ）、注目画素を補正する（Ｓ１０５）。すなわち、注目画素が、新たに小滴若しくは中滴に対応する印字対象とされる。又は、注目画素の滴種が変更される。例えば、滴なしが０、大滴が２５５によって表現される場合、小滴とされた画素は、その画素値を例えば８５とすればよい。中滴とされた画素は、その画素値を例えば１７０とすればよい。なお、どのような場合にどのような補正が行われるかについては後述する。
【００３０】
続いて、注目画素を次の画素位置に移動し（Ｓ１０６）、ステップＳ１０２から処理を繰り返す。パターンマッチングでマッチしない場合は（Ｓ１０４でＮｏ）、ステップＳ１０５をスキップしステップＳ１０６に進む。このような処理は、フォントデータの全画素が処理済みとなるまで（Ｓ１０７でＹｅｓ）繰り返される。また、パターンマッチングすべき参照パターンが複数存在する場合は、複数の参照パターンについて図６の処理が実行される。
【００３１】
続いて、図６の前に実行される処理について説明する。図８は、ジャギー補正の前処理を説明するためのフローチャートである。
【００３２】
ユーザによる印刷指示時において、印刷設定ＵＩ部１９は、印刷設定画面を表示させ、印刷条件等と共にジャギー補正の補正タイプ（補正の種類）の設定の設定を受け付ける（Ｓ２０１）。設定された補正タイプはジャギー補正部１６に伝達され、保持される。
【００３３】
図９は、補正タイプを説明するための図である。同図に示されるように、補正タイプに応じて補正内容（補正の方法）が異なる。具体的には、補正タイプ１は、ブランクの注目画素を常に小滴とするものである。補正タイプ２は、ブランクの注目画素を常に中滴とするものである。補正タイプ３は、ブランクの注目画素を小滴又は中滴とするものである。すなわち、補正タイプ３による補正結果は、小滴及び中滴が混在しうる。補正タイプ４は、ブランクでない（すなわち、大滴）の注目画素の滴種を中滴に変更するものである。補正タイプ５は、補正タイプ３と補正タイプ４を合わせたものである。このように、補正タイプは、注目画素に適用されるインク滴のサイズに応じて異なる。また、補正タイプは、注目画素について適用対象とされるインク的のサイズの組み合わせに応じて異なる。
【００３４】
なお、いずれの補正タイプによる補正結果が望ましいかは、ユーザに応じて異なる。文字輪郭部分が滑らかに見えても線の細い文字になってしまったりすることがあるからである。したがって、ユーザに補正タイプを選択させることによって、ユーザ所望のジャギー補正を行うことができる。
【００３５】
印刷の開始が指示され、アプリケーション１１より文字のプリント命令が描画データメモリ１２に入力されると、ジャギー補正部１６２は、出力解像度（印刷時の解像度）に基づいてパターンマッチングに用いるウィンドウのサイズ（ｍ×ｎの値）を判定する（Ｓ２０１）。出力解像度とウィンドウサイズとの対応は、ロジックとしてジャギー補正部１６２に組み込まれていてもよいし（すなわち、ハードコーディング）、又は外部ファイルに定義されていてもよい。基本的に、解像度が高いほどウィンドウサイズを大きくするとよい。また、出力解像度は、ユーザによる印刷指示時において印刷設定ＵＩ部１９が表示させる印刷設定画面において設定されてもよいし、プリンタ２０が対応している解像度に基づいて自動的に判断されてもよい。
【００３６】
続いて、ジャギー補正部１６２は、判定されたウィンドウサイズに対応する補正定義ファイル１８をオープンする（Ｓ２０２）。すなわち、本実施の形態では、ウィンドウサイズごと（換言すれば、解像度ごと）に補正定義ファイル１８が管理されている。
【００３７】
図１０は、補正定義ファイルの構成例を示す図である。同図において、補正定義ファイル１８には、当該ウィンドウサイズに対応する参照パターンが、補正タイプごとに定義されている。補正タイプ１の参照パターンとしては、注目画素に小滴を追加するための参照パターン（小滴追加パターン）の識別情報（ファイル名等）が登録されている。補正タイプ２の参照パターンとしては、注目画素に中滴を追加するための参照パターン（中滴追加パターン）の識別情報が登録されている。補正タイプ３の参照パターンとしては、小滴追加パターンの識別情報と中滴追加パターンの識別情報とが登録されている。補正タイプ４の参照パターンとしては、注目画素の大滴を中滴に変更するための参照パターン（滴種変更パターン）の識別情報が登録されている。補正パターン５の参照パターンとしては、小滴追加パターン、中滴追加パターン、及び滴種変更パターンの識別情報が登録されている。
【００３８】
なお、補正タイプ１、３、及び５における小滴追加パターンは、同一であるとは限らない。同様に、補正タイプ３及び５における中滴追加パターン、補正タイプ４及び５における滴種変更パターンについても同一であるとは限らない。
【００３９】
また、図中における「小滴追加パターン」、「中滴追加パターン」、及び「滴種変更パターン」は、それぞれ、一つの参照パターンであるとは限らない。それぞれについて複数の参照パターンが登録されていてもよい。
【００４０】
また、補正定義ファイル１８は、容易に書き換え可能である。したがって、補正タイプに応じた参照パターンは容易に変更可能である。
【００４１】
続いて、ジャギー補正部１６２は、ユーザによって設定された補正タイプに対応する参照パターンを補正定義ファイル１８に基づいて判定し（決定）、当該参照パターンをメモリ上に読み込む（Ｓ２０４）。続いて、展開部１６１は、プリント命令の対象とされた文字のフォントデータをフォントデータメモリ１７に展開する（Ｓ２０５）。
【００４２】
続いて、図６において説明したジャギー補正処理が実行される（Ｓ２０６）。したがって、図６におけるパターンマッチングでは、解像度及び補正タイプに基づいて決定された参照パターンデータが用いられる。また、図６のステップＳ１０５においては、補正タイプに応じた補正が行われる。
【００４３】
例えば、補正タイプ１の場合、注目画素は小滴とされる。補正タイプ２の場合、注目画素は中滴とされる。補正タイプ３の場合、小滴追加パターンとマッチした際の注目画素は小滴とされ、中滴追加パターンとマッチした際の注目画素は中滴とされる。補正タイプ４の場合、注目画素は中滴に変更される。補正タイプ５の場合、小滴追加パターンとマッチした際の注目画素は小滴とされ、中滴追加パターンとマッチした際の注目画素は中滴とされ、滴種変更パターンとマッチした際の注目画素は中滴に変更される。
【００４４】
その結果、同一のソース（補正元のフォントデータ）に基づいて、補正タイプに応じて以下のような補正結果が得られる。図１１は、補正タイプに応じたジャギー補正結果の例を示す図である。
【００４５】
同図において、最上段は補正前の状態（ソース）を示す。２段目は、補正タイプ１の補正結果を示す。当該補正結果では、ブランクであった画素の一部に小滴が追加されている。３段目は、補正タイプ２の補正結果を示す、当該補正結果では、ブランクであった画素の一部に中滴が追加されている。４段目は、補正タイプ３の補正結果を示す。当該補正結果では、ブランクであった画素の一部に小敵又は中滴が追加されている。５段目は、補正タイプ４の補正結果を示す。当該補正結果では、大滴であった画素の一部が中滴に変更されている。６段目は、補正タイプ５の補正結果を示す。当該補正結果では、当該補正結果では、ブランクであった画素の一部に小敵又は中滴が追加され、更に、大滴であった画素の一部が中滴に変更されている。
【００４６】
上述したように、本実施の形態におけるホストコンピュータ１０は、ジャギー補正の補正タイプをユーザに選択させることができ、選択された補正タイプに応じた補正処理を実行する。したがって、ユーザの好みに応じたジャギー補正を実行することができる。
【００４７】
また、補正タイプに応じて利用される参照パターンは、容易に書き換え可能な補正定義ファイル１８において定義されている。したがって、補正タイプに応じた参照パターンを、ジャギー補正部１６２に係るプログラムのソースコードを変更することなく簡便に変更することができる。このことは、ジャギー補正の内容を容易に変更できることを意味する。
【００４８】
なお、本実施の形態では、ホストコンピュータ１０においてジャギー補正が実行される例について説明したが、プリンタ２０においてジャギー補正が行われてもよい。この場合、プリンタ２０が画像処理装置に相当する。
【００４９】
以上、本発明の実施例について詳述したが、本発明は斯かる特定の実施形態に限定されるものではなく、特許請求の範囲に記載された本発明の要旨の範囲内において、種々の変形・変更が可能である。
【図面の簡単な説明】
【００５０】
【図１】本発明の実施の形態におけるシステム構成例を示す図である。
【図２】本発明の実施の形態におけるホストコンピュータの機能構成例を示す図である。
【図３】本発明の実施の形態におけるホストコンピュータのハードウェア構成例を示す図である。
【図４】フォントデータの一部の画素の例を概念的に示す図である。
【図５】パターンマッチングに用いられる仮想的なウィンドウの例を示す図である。
【図６】ジャギー補正部によるジャギー補正処理の処理手順を説明するためのフローチャートである。
【図７】参照パターンの例を示す図である。
【図８】ジャギー補正の前処理を説明するためのフローチャートである。
【図９】補正タイプを説明するための図である。
【図１０】補正定義ファイルの構成例を示す図である。
【図１１】補正タイプに応じたジャギー補正結果の例を示す図である。
【符号の説明】
【００５１】
１０          ホストコンピュータ
１１          アプリケーション
１２          描画データメモリ
１３          ラスタライザ
１４          ラスタデータメモリ
１５          インタフェース部
１６          フォント処理部
１７          フォントデータメモリ
１８          補正定義ファイル
１９          印刷設定ＵＩ部１９
２０          プリンタ
１００        ドライブ装置
１０１        記録媒体
１０２        補助記憶装置
１０３        メモリ装置
１０４        ＣＰＵ
１０５        インタフェース装置
１０６        表示装置
１０７        入力装置
Ｂ            バス
【図１】
2009141529.tif 000003
【図２】
2009141529.tif 000004
【図３】
2009141529.tif 000005
【図４】
2009141529.tif 000006
【図５】
2009141529.tif 000007
【図６】
2009141529.tif 000008
【図７】
2009141529.tif 000009
【図８】
2009141529.tif 000010
【図９】
2009141529.tif 000011
【図１０】
2009141529.tif 000012
【図１１】
2009141529.tif 000013